(57)【要約】【課題】携帯電話の振動を制御して利用者に着信をより確実に通知可能な携帯電話を提供する。【解決手段】携帯電話本体に印加される圧力を着信時に検出し、この圧力に対応して携帯電話の振動子の振動を制御する。この結果、携帯電話本体の使用者の身体への密着度に対応して振動を制御し、振動による着信通知がより確実に行われるようにすることができる。【選択図】図１
2005269024.tif 000002
【特許請求の範囲】
【請求項１】
携帯電話本体と、
前記携帯電話本体を振動させる振動子と、
前記携帯電話本体に印加される圧力を検出する圧力検出手段と、
着信時に前記圧力検出手段で検出された圧力に対応して、前記振動子の振動を制御する制御部と、
を具備することを特徴とする携帯電話。
【請求項２】
携帯電話が、前記携帯電話本体に対して開閉可能な蓋部をさらに具備し、
前記圧力検出手段が、前記携帯電話本体と前記蓋部との間に配置される圧力センサを有する
ことを特徴とする請求項１に記載の携帯電話。
【請求項３】
前記携帯電話本体と前記蓋部での開閉を検出する開閉検出手段
をさらに具備することを特徴とする請求項２に記載の携帯電話。
【請求項４】
前記携帯電話本体が、キーを有し、
前記圧力検出手段が、前記キーと一体に構成される
ことを特徴とする請求項１に記載の携帯電話。
【請求項５】
前記制御部が、前記検出された圧力が小さくなるにつれて、前記着信時の振動子の振動が大きくなるように制御する
ことを特徴とする請求項１に記載の携帯電話。
【請求項６】
前記制御部が、前記検出された圧力が小さくなるにつれて、前記着信時の振動子の振動が段階的に大きくなるように制御する
ことを特徴とする請求項１に記載の携帯電話。
【請求項７】
前記制御部が、前記検出された圧力の代表値に対応して、前記振動子の振動を変化させる
ことを特徴とする請求項１に記載の携帯電話。
【請求項８】
前記圧力の代表値が、所定時間内での検出圧力の最低値である
ことを特徴とする請求項７に記載の携帯電話。
【請求項９】
前記圧力の代表値が、所定時間内での検出圧力の平均値である
ことを特徴とする請求項７に記載の携帯電話。
【請求項１０】
携帯電話への着信を検出する着信ステップと、
前記携帯電話への圧力を検出する圧力検出ステップと、
前記検出された圧力の大きさに対応して、振動の強度を設定する設定ステップと、
前記設定された振動の強度で振動子を振動させる振動ステップと、
を具備することを特徴とする携帯電話の振動制御方法。
【請求項１１】
前記携帯電話が、携帯電話本体と、前記携帯電話本体に対して開閉可能な蓋部を有し、
振動制御方法が、前記携帯電話本体と前記蓋部とが開状態であるか否かを判定する状態判定ステップと、をさらに具備し、
前記状態判定ステップで開状態と判定された場合に、前記振動設定ステップで前記検出された圧力に拘らずに振動の大きさを設定する
ことを特徴とする請求項８記載の携帯電話の振動制御方法。
【発明の詳細な説明】
【技術分野】
【０００１】
本発明は、着信時に振動する振動子を有する携帯電話、及び携帯電話の振動制御方法に関する。
【背景技術】
【０００２】
携帯電話では、着信通知に振動を用いる場合がある。即ち、着信時に携帯電話を振動させることで、着信を通知する。
なお、折り畳み型携帯通信機において、開閉可能な二つの通信機本体の開閉状態を検出して、振動モード、着信鳴動モードを切換える技術が開示されている（例えば特許文献１参照）。
【特許文献１】特開２００１−３５２３６９号公報
【発明の開示】
【発明が解決しようとする課題】
【０００３】
ところで、折り畳み型の等の開閉可能な携帯電話では、使用者の胸ポケット等に収納されて持ち運び、使用されることが多い。
この場合、携帯電話が使用者の胸ポケットにあっても身体から離れているときには、使用者に携帯電話の振動が十分に伝わらず着信に気付かない可能性がある。
上記に鑑み、本発明は、携帯電話の振動を制御して利用者に着信をより確実に通知可能な携帯電話を提供することを目的とする。
【課題を解決するための手段】
【０００４】
Ａ．上記目的を達成すべく、本発明に係る携帯電話は、携帯電話本体と、前記携帯電話本体を振動させる振動子と、前記携帯電話本体に印加される圧力を検出する圧力検出手段と、着信時に前記圧力検出手段で検出された圧力に対応して、前記振動子の振動を制御する制御部と、を具備することを特徴とする。
【０００５】
携帯電話本体に印加される圧力を着信時に検出し、この圧力に対応して携帯電話の振動子の振動を制御する。この結果、携帯電話本体と使用者の身体の密着の度合いに対応して振動を制御し、振動による着信通知がより確実に行われるようにすることができる。
【０００６】
（１）携帯電話が、前記携帯電話本体に対して開閉可能な蓋部をさらに具備し、前記圧力検出手段が、前記携帯電話本体と前記蓋部との間に配置される圧力センサを有してもよい。
携帯電話が折り畳み等の開閉可能な方式の場合、携帯電話本体と蓋部との間に圧力センサを配置することで、携帯電話に加わる圧力を検知できる。
【０００７】
ここで、携帯電話が、前記携帯電話本体と前記蓋部での開閉を検出する開閉検出手段をさらに具備してもよい。
携帯電話の開閉に対応する振動の制御が可能となる。携帯電話が開かれているときには、利用者によって実際に用いられている可能性が高いので、開閉状態によって利用状況を推測し、この利用状況に応じた振動の制御が行える。
【０００８】
（２）前記携帯電話本体が、キーを有し、前記圧力検出手段が、前記キーと一体に構成されてもよい。
圧力検出手段をキーと一体化することで、携帯電話の操作面を有効に利用することができる。
【０００９】
（３）前記制御部が、前記圧力が小さくなるにつれて、前記着信時の振動子の振動が大きくなるように制御してもよい。
圧力が小さい場合には携帯電話と利用者の身体とが密着しておらず、携帯電話から利用者の身体への振動の伝達が十分に行われない可能性がある。このため、圧力が小さくなるにつれ振動子の振動を大きくして、振動がより確実に伝達されるようにする。
【００１０】
（４）前記制御部が、前記圧力が小さくなるにつれて、前記着信時の振動子の振動が段階的に大きくなるように制御してもよい。
圧力に対して振動の大きさを単調減少させても良いが、段階的に減少させることも可能である。
【００１１】
（５）前記制御部が、前記検出された圧力の代表値に対応して、前記振動子の振動を変化させてもよい。
携帯電話が胸ポケット等で動くことで圧力検出手段での圧力の検出が行われることがある。このような短時間での圧力は携帯電話と利用者の身体との密着の度合いを反映していない可能性があるため、検出圧力の代表値によって振動を制御する。
代表値として、例えば、所定時間内での検出圧力の最低値や平均値を用いることができる。
【００１２】
Ｂ．本発明に係る携帯電話の振動制御方法は、携帯電話への着信を検出する着信ステップと、前記携帯電話への圧力を検出するステップと、前記検出された圧力の大きさに対応して、振動の強度を設定する設定ステップと、前記設定された振動の強度で振動子を振動させる振動ステップと、を具備することを特徴とする。
【００１３】
携帯電話に印加される圧力を着信時に検出し、この圧力に対応して携帯電話の振動を制御する。この結果、携帯電話の使用者の身体への密着度に対応して振動を制御し、振動による着信通知がより確実に行われるようにすることができる。
【００１４】
ここで、前記携帯電話が、携帯電話本体と、前記携帯電話本体に対して開閉可能な蓋部を有し、振動制御方法が、携帯電話の振動制御方法が前記携帯電話本体と前記蓋部とが開状態であるか否かを判定する状態判定ステップと、をさらに具備し、前記状態判定ステップで開状態と判定された場合に、前記振動設定ステップで前記検出された圧力に拘らずに振動の大きさを設定してもよい。
【００１５】
携帯電話の開閉に対応して振動を制御する。携帯電話が開かれているときには、利用者によって実際に用いられている可能性が高いので、開閉状態によって利用状況を推測し、この利用状況に応じた振動の制御を行う。
【発明の効果】
【００１６】
本発明によれば、携帯電話の振動を制御して利用者に着信をより確実に通知可能な携帯電話を提供することができる。
【発明を実施するための最良の形態】
【００１７】
以下、添付図面を参照して、本発明の第１の実施の形態に係る携帯電話を説明する。
図１は本実施の形態に係る携帯電話１１の機能的構成を示すブロック図である。
図２及び図３に示すように、携帯電話１１は、本体が一方に分割された本体部分（蓋部）１１Ａと他方に分割された本体部分（携帯電話本体）１１Ｂとをヒンジ等を介して回動可能（開閉可能）に連結した所謂折りたたみ式である。
【００１８】
携帯電話１１は、図１に示すように、ディスプレイ１３、所要数の所定のキー１５、開閉センサ（開閉検出手段）１７、圧力センサ（圧力検出手段）１９、制御部２１、メモリ２３、変復調部２５、及び、バイブレータ２７を備えて構成されている。
【００１９】
ディスプレイ１３は、例えば液晶ディスプレイであり、一方の本体部分１１Ａの内面側に装着されている。ディスプレイ１３は、例えば発信番号、メールアドレス、着信画面、メール画面、動画映像等を表示することが可能である。
【００２０】
キー１５は、詳しく図示しないが番号や文字、その他、各種操作用、各種制御用（モード選択等）等の複数のキーを含んだ総称であり、他方の本体部分１１Ｂの内面側に所要の配列で装着されている。キー１５の操作に基づく各種出力信号は主に制御部２１に入力される。
【００２１】
開閉センサ１７は、双方の本体部分１１Ａ，１１Ｂを回動可能に連結する例えばヒンジ（回動部）等に設けられるものであり、可変抵抗、接触端子等の任意の構成が採用される。開閉センサ１７は、双方の本体部分１１Ａ，１１Ｂの開状態を示す開信号、閉状態を示す閉信号を制御部２１に出力する。
【００２２】
圧力センサ１９は、例えば他方の本体部分１１Ｂの内面側（内側）において例えば最下方側の位置（図２参照：但し任意の位置でも良い）に配設される。そして、例えば一方の本体部分１１Ａを他方の本体部分１１Ｂに接触させるべく閉じる状態（図３参照）で、該閉じた状態の該閉じる方向へ向う一方の本体部分１１Ａから受けた圧力（押圧力）を検出する。
圧力センサ１９は、一方の本体部分１１Ａから受ける圧力に比例する圧力信号を制御部２１に対し出力する。例えば、着信時における圧力に対応する圧力信号を制御部２１に対し出力する。
圧力センサ１９は、圧力変動に応じた圧力信号を常時出力しても良いし、制御部２１からの指示に応じて圧力信号を出力しても良い。
【００２３】
圧力センサ１９は、図２に示すように、他方の本体部分１１Ｂの内面から所定の高さに突出する突起形状を有し、本体部分１１Ａとの間に印加される圧力を検出する。尚、一方の本体部分１１Ａの内面側で圧力センサ１９に対応する位置には圧力の伝達性を向上させるための押圧部（図示せず）を設けても良い。
圧力センサ１９には、ストレンゲージ（ロードセル）、加圧伝導シート（ゴム）、感圧ポリマ（重合体）、ダイアフラム（薄膜型圧力センサ、拡散型半導体圧力センサ）、ピエゾ抵抗素子等種々の圧力検出手段を利用できる。
【００２４】
圧力センサ１９を所定高さの突起状に構成する場合、圧力を受けても有る程度以上の突出量が確保されるようにして、本体閉時においてキー１５に圧力が掛からないようしにしてその保護を図ることが可能である。
【００２５】
制御部２１は、例えばＣＰＵであり、情報（通話、メール、映像、楽音等）の記憶、消去の制御、変復調部２５、内部のタイマ機能やバイブレータ２７等の各種の制御を行う。
【００２６】
制御部２１は、変復調部２５を通して着信を認識した場合、鳴動モードであればスピーカ（図示せず）から楽音等を出力させ、振動モードであればバイブレータ２７の駆動を制御する。この振動の制御は、開閉センサ１７からの状態信号（閉信号等）および圧力センサ１９からの圧力信号に基づいて行われる。
尚、制御部２１は、キー１５等の操作により鳴動モード、振動モードの設定、切換が可能である。
【００２７】
制御部２１は、圧力に対応して、バイブレータ２７の振動を制御する。
図４は、携帯電話１１と利用者の身体間での圧力と、振動の伝達性との関係を表すグラフである。図４に示すように、携帯電話１１と利用者の身体間での圧力が小さいと、携帯電話１１からの振動が利用者の身体に伝わり難くなる。
このため、制御部２１は、圧力が小さいとバイブレータ２７の振動を大きく、圧力が大きいとバイブレータ２７の振動を小さくして、使用者の身体に伝達される振動の強度が確保されるようにする。
【００２８】
制御部２１がバイブレータ２７を制御する場合、一例として図５乃至図７に示すような制御方法（振動制御方法）を例えばキー１５の操作により適宜に選択することが可能である。
図５に示す制御方法の場合、圧力が小さいときには振動の大きさが緩やかに小さくなり、圧力が中程度の範囲では振動の大きさが比較的速やかに変化し、圧力が大きいときには振動の大きさがある一定値に収束される。
【００２９】
図６に示す制御方法の場合、圧力の範囲を０〜α、α〜β、β以上の三つの領域（閾値）に設定し、圧力が０〜αの間では振動を最大値ａに設定し、圧力がα〜βの間では振動を中程度値ｂに設定し、圧力がβ以上では振動を最低値ｃに設定するという三段階の制御を行う。
図７に示す制御方法の場合、圧力の検出範囲を０〜α１、α１〜α２、α２〜β１、β１〜β２、β２以上の五段階の領域（閾値）に設定し、かつその各々の検出範囲に応じて振動の大きさをａ１（最大値）、ａ２、ｂ１、ｂ２、ｃ（最低値）の五段階に設定するという五段階の制御を行う。
なお、圧力検出に際する閾値の設定は上述の態様の他、任意の閾値を設定しても良く、あるいは一つの閾値で対応しても良いことは勿論である。
【００３０】
メモリ２３は、例えばＲＡＭ、ＥＰＲＯＭ、ＨＤ等であり、通話の録音、メールの保存、各種履歴の保存等を行うことが可能である。メモリ２３には、制御上必要な情報や、各種プログラムとして例えば所定のゲームプログラム、サイト起動用のプログラム、本例のバイブレータ２７の振動制御用プログラム（振動制御方法）等が格納される。
【００３１】
変復調部２５は、送信情報の変調、着信及び受信情報の復調を行うものであり、特に復調後の着信情報は制御部２１に入力される。
【００３２】
次に、図８を参照して主に振動制御用プログラムに基づく着信時の制御部２１の動作を説明する。
まずステップ８０１において着信の有無を判定する。着信ありと判定された場合、ステップ８０２において開閉センサ１７の状態信号を取り込むことで携帯電話１１の本体が開いた状態（図２参照）、閉じた状態（図３参照）のいずれであるかを判定する。
本体が開いていると判定した場合は、本体が使用状態である可能性が強い。このときには、ステップ８０３においてバイブレータ２７の振動を最小の大きさに設定して、ステップ８０６においてバイブレータ２７を振動させる。
【００３３】
一方、ステップ８０２で携帯電話１１が閉じた状態にあると判定した場合は、ステップ８０４において圧力検出を行う。即ち圧力センサ１９からの圧力信号を取込んで一方の本体部分１１Ａから他方の本体部分１１Ｂへ加わる圧力を検出する。
続いてステップ８０５において検出した圧力値に合わせてバイブレータ２７の振動の大きさを設定する。振動の大きさを設定する場合、図５乃至図７に示した制御方法のうち何れかの制御方法に基づいて設定することができる。しかる後、ステップ８０６においてバイブレータ２７を設定された振動の大きさで振動させる。
その後、ステップ８０７において所定のキー操作等によりバイブレータ２７の振動停止指示が入力されるか否かを判定する。例えば、利用者が通話開始のキーを押した場合に振動が停止され、通話が開始される。
振動停止の指示が入力されない場合はステップ８０６に戻り振動が継続する。一方、振動停止の指示が入力された場合は、振動が停止されて、ステップ８０１で着信待ちとなる。
【００３４】
本実施の形態においては、制御部２１が着信時に開閉センサ１７から開信号を取得し、かつ圧力センサ１９から圧力信号を取得する。その結果、本体部分１１Ａから他方の本体部分１１Ｂに加わる圧力が認識される。
これにより携帯電話１１が使用者の胸ポケット等にあったとしても使用者への所謂密着度を予測し、この密着度が低い場合にバイブレータ２７の振動を大きく制御する。このため使用者には携帯電話１１が胸ポケット等にあっても携帯電話１１の振動が伝わらず着信に気付かないという状態を回避することが可能である。
また、携帯電話１１が使用者の身体に十分に所謂密着している場合は振動を小さくするため、特に頻繁に着信がある場合程、電源の消費電力を節約して使用時間を長くすることができる。
【００３５】
次に、図９乃至図１１を参照して、本発明の第２の実施の形態に係る携帯電話を説明する。図９は本実施の形態の携帯電話の外観を示す斜視図である。
尚、本例の携帯電話３１はキー１５が本体から露出する非折りたたみ式の携帯電話であるため開閉センサ１７が不要であるが、その他電気的な内部構成については図１に示したブロック図の構成と基本的に同様の構成でありこの点詳しい説明を省略する。
【００３６】
携帯電話１１の前面側にはディスプレイ１３、及び所要の複数のキーが配設されている。複数のキーを総称してキー１５と称する。キー１５のうち所定の一つのキー（例えば本体の最下方側に配設された例えば「＊」のキー１５Ａの内部側あるいは内部付近の本体基盤（基板３３）側には圧力センサ（図１０参照）４９が配設されている。
【００３７】
キー１５Ａは、他のキー１５も同様の構成としても良いが、例えば図１０に示すように、まず基板３３上の所定位置に対し固定接点３５を配設し、上下の方向に撓み得るクリックドーム３７をレジスト層及び印刷層を介して配設することで構成できる。
クリックドーム３７の裏面には固定接点３５に対向する可動電極３９が設けられている。クリックドーム３７のドーム部分の周囲の位置には可撓性のある支持部材４１を介してキートップ４３が載置されており、キートップ４３の底面にはドーム部分を押圧し得る押圧部４５が形成されている。
【００３８】
キートップ４３を押下すると、キートップ４３の押圧部４５に押されてクリックドーム３７のドーム部分が下方に撓んで、ドーム部分裏面の可動電極３９が固定接点３５に接触する。この接触で通電が可能となりキー１５Ａに一意に対応する信号が制御部２１に出力される。
キートップ４３から指を離すと、キートップ４３の支持部材４１の反力、及びクリックドーム３７のドーム部分の反力でキートップ４３が上方移動して元の位置に戻り、可動電極３９も固定接点３５から離れ元の位置に戻る。
【００３９】
一方、圧力センサ４９は、第１の実施の形態で説明した何れかの構成からなるものであるが、例えば基板３３上においてクリックドーム３７のドーム部分の周囲の一つの位置に装着される。
クリックドーム３７の対応する位置には例えば開口（図示せず）が形成されており、圧力センサ４９はその開口を通して上方に突出する。尚、圧力センサ４９は、基板３３上においてクリックドーム３７のドーム部分の真中に対応する位置に設けても良い。その場合、ドーム部分の真中に圧力センサ４９を通す開口を形成することが好ましい。
【００４０】
キートップ４３の押圧部４５の周囲の位置で圧力センサ４９に対向する位置にはキートップ４３に加わる圧力の伝達性を考慮して押圧突起（押圧部）５１が設けられている。尚、作図の都合上、圧力センサ４９と押圧突起５１との間には隙間があるが、この隙間を事実上無くことができる。
【００４１】
本実施形態では圧力検出とキー入力との双方を検出し得る構成を採用する。
例えば、押圧突起５１に弾力性を有する材料を用いて、圧力センサ４９と押圧突起５１とが接触した状態で、可動電極３９と固定接点３５と間隔を変化可能とする。このようにすると、圧力センサ４９が押圧突起５１から印加される圧力を検出しながら、可動電極３９と固定接点３５間でのＯＮ、ＯＦＦを行える。
なお、可動電極３９および固定接点３５を用いることなく、圧力センサ４９のみで、圧力検出とキー入力との双方を検出することも可能である。圧力センサ４９で検出される圧力が所定の値以上であるときに、キー入力が行われていると判定すればよい。このようにすると、単純な構成で圧力検出とキー入力との双方を検出できる。
【００４２】
携帯電話３１を胸ポケット等に収容したことでキートップ４３に圧力が加わると、キートップ４３及び押圧突起５１を介して圧力センサ４９にその圧力が加わり圧力センサ４９から制御部２１に圧力信号（圧力値に比例する）を出力することが可能となる。
【００４３】
制御部２１は、着信時にキー１５Ａの入力、もしくは圧力センサ４９の圧力検出があらかじめ設定した所定時間以上継続する場合に圧力検出結果を有効としても良い。
利用者の胸ポケット中で携帯電話３１が動いたときに圧力センサ４９に偶発的な圧力が印加される場合がある。また、圧力センサ４９がキー１５Ａと一体的に構成されていることから、利用者がキー１５Ａをキーとして利用するために押して、圧力センサ４９に一時的な圧力が印加される場合がある。
このような偶発的あるいは一時的な圧力印加は携帯電話３１と利用者の身体との密着の度合いを反映しない。このため、ある程度の時間継続している圧力を携帯電話３１と利用者の身体との密着の度合いを反映するものとして、バイブレータ２７の振動の大きさの制御に利用する。
【００４４】
具体的には、所定の時間内に検出された最低の圧力をこのときの代表検出圧力とすることが考えられる。また、所定の時間内に検出された圧力の平均値をもって、代表検出圧力とすることも考えられる。このように、測定時の瞬時的な圧力ではなく、測定時から所定時間内での代表検出圧力を求め、代表検出圧力によってバイブレータ２７の振動の大きさを制御する。
なお、制御部２１が圧力センサ４９からの圧力信号に基づいてバイブレータ２７の振動を制御する場合、その制御方法には第１の実施の形態で説明した各種の制御方法を採用することができる。
【００４５】
本実施の形態の場合、メモリ２３には、非折りたたみ式の携帯電話３１用の振動制御用プログラム（振動制御方法）が格納されている。
【００４６】
次に、図１１を参照して主に携帯電話３１用の振動制御用プログラムに基づく着信時の制御部２１の動作を説明する。
まずステップ１１０１において着信の有無を判定する。着信ありと判定した場合、ステップ１１０２においてキー１５の入力が行われているか否かをチェックする。このキー入力の有無は、キー１５がＯＮであるか否かに基づいて行える。具体的には、キー１５のＯＮ／ＯＦＦが所定時間内に行われているか否かによって、キー入力の有無を判断できる。さらに好ましくは、異なるキー１５が連続的に入力されているか否かに基づいて判断することができる。キー入力の際に同一のキーが押された状態となるのは稀だからである。
キー入力ありの場合はステップ１１０３においてバイブレータ２７の振動を最小の大きさに設定した後、ステップ１１０６においてバイブレータ２７を振動させる。
【００４７】
一方、ステップ１１０２でキー入力なしと判定した場合はステップ１１０４において圧力検出を行う。即ち圧力センサ４９からの圧力信号を取込んで携帯電話３１の本体へ加わる圧力を検出する。
続いてステップ１１０５において検出した圧力値に合わせてバイブレータ２７の振動の大きさを設定する。振動の大きさを設定する場合、図５乃至図７に示した制御方法のうち何れかの制御方法に基づいて設定することができる。しかる後、ステップ１１０６においてバイブレータ２７を設定された振動の大きさで振動させる。
その後、ステップ１１０７において所定のキー操作等でバイブレータ２７の振動が停止されたか否かを判定し、停止されない場合はステップ１１０６を繰り返し継続するが、停止された場合はステップ１１０１に戻る。
【００４８】
本実施の形態においては、制御部２１が着信時にキー入力チェックを行った後、圧力センサ４９から圧力信号を取得することで携帯電話３１の本体に加わる圧力を認識する。
これにより携帯電話３１が使用者の胸ポケット等にあったとしても使用者への所謂密着度を具体的に予測し、この密着度が低い場合にバイブレータ２７の振動を大きく制御する。このため使用者には携帯電話３１が胸ポケット等にあっても携帯電話３１の振動が伝わらず着信に気付かない状態を回避することが可能である。
また、携帯電話３１が使用者の身体に十分に所謂密着している場合は振動を小さくするため、特に頻繁に着信がある場合程、電源の消費電力を節約して使用時間を長くすることができる。
【００４９】
尚、本実施の形態においては、キー１５Ａに圧力センサ４９を設ける場合について説明したが、例えば圧力を受け易い所定位置の複数のキーもしくは全てのキーに圧力センサ４９を設けても良いことは勿論である。
【図面の簡単な説明】
【００５０】
【図１】本発明の第１の実施の形態に係る携帯電話の構成を示すブロック図である。
【図２】第１の実施の形態に係る携帯電話の開いた状態を示す斜視図である。
【図３】第１の実施の形態に係る携帯電話の閉じた状態を示す斜視図である。
【図４】第１の実施の形態におけるバイブレータの振動を制御する基本思想を説明するグラフである。
【図５】第１の実施の形態におけるバイブレータの振動を制御する具体的な一例を説明するグラフである。
【図６】第１の実施の形態におけるバイブレータの振動を制御する具体的な他の一例を説明するグラフである。
【図７】第１の実施の形態におけるバイブレータの振動を制御する具体的なさらに他の一例を説明するグラフである。
【図８】第１の実施の形態における振動制御用プログラムの具体例を示すフローチャートである。
【図９】本発明の第２の実施の形態に係る携帯電話の外観を示す斜視図である。
【図１０】第２の実施の形態においてキー内部に圧力センサを備える場合の具体例を説明する説明図である。
【図１１】第２の実施の形態における振動制御用プログラムの具体例を示すフローチャートである。
【符号の説明】
【００５１】
１１，３１…携帯電話、１１Ａ，１１Ｂ…本体部分、１３…ディスプレイ、１５，１５Ａ…キー、１７…開閉センサ、１９，４９…圧力センサ、２１…制御部、２３…メモリ、２５…変復調部、２７バイブレータ、３３…基板、３５…固定接点、３７…クリックドーム、３９…可動電極、４１…支持部材、４３…キートップ、４５…押圧部、５１…押圧突起
【図１】
2005269024.tif 000003
【図２】
2005269024.tif 000004
【図３】
2005269024.tif 000005
【図４】
2005269024.tif 000006
【図５】
2005269024.tif 000007
【図６】
2005269024.tif 000008
【図７】
2005269024.tif 000009
【図８】
2005269024.tif 000010
【図９】
2005269024.tif 000011
【図１０】
2005269024.tif 000012
【図１１】
2005269024.tif 000013